(57)【特許請求の範囲】
【請求項１】
患者の皮膚（２００）内の所定容積部分（Ｖ）を治療する装置において、
放射線源（２１０）と、
前記放射線源（２１０）からの放射線（１１）が印加される光学系（５、８、１５−２０、２２、２５、２６、３２、３５、４３、４６、４９、５２、５８、６１、７０、７６、８１、８４、８７、９０、９３、９６、９９、１０２、１０５、１０６）であって、前記光学系（５、８・・・１０５、１０６）が列状の光学要素を備え、
少なくとも複数の前記光学要素が、前記放射線源（２１０）からの前記放射線（１１）を印加する形態とされ、同時に前記放射線（１１）により容積部分内の複数の三次元的治療部分（２１４）を形成し、
前記列状の光学要素は、照射される複数の治療部分（２１４）が、互いに分離離間して形成されるような形態とされ、
前記放射線源は、水により選択的に吸収される一つ又はそれ以上の波長の放射線を提供する形態とされる、装置。
【請求項２】
請求項１に記載の装置において、
前記照射された複数の治療部分（２１４）が、それに与えられた損傷の回復を促進するに十分な距離だけ離れている装置。
【請求項３】
患者の皮膚（２００）内の所定容積部分を治療する装置において、
放射線源（２１０）と、
前記放射線源（２１０）からの放射線（１１）が印加される光学系（５、８、１５−２０、２２、２５、２６、３２、３５、４３、４６、４９、５２、５８、６１、７０、７６、８１、８４、８７、９０、９３、９６、９９、１０２、１０５、１０６）であって、
前記光学系（５、８・・・１０５、１０６）が、前記放射線（１１）を容積部分内に集中し、同時に複数の三次元的治療部分（２１４）の少なくとも一部を照射し、照射された複数の治療部分（２１４）が、互いに分離離間して形成され、
前記光学系（５、８・・・１０５、１０６）が、少なくとも１つの収束構成要素（８１、９０）と、前記収束構成要素（８１、９０）に結合された位置決め機構であって、前記構成要素を動かして、複数の治療部分（２１４）において前記放射線（１１）を収束させる前記位置決め機構とを備え、
前記光学系は、０．５ｍｍ乃至４ｍｍの深さにおいて放射線を集中させる形態とされている、装置。
【請求項４】
請求項１又は２に記載の装置において、
前記光学要素の各々が、前記放射線源から受け取った前記放射線を、所定の長さ及び厚さを有する複数の狭小なストリップ（２８）内に集中させる、装置。
【請求項５】
請求項１乃至４の何れかに記載の装置において、
前記光学系（５、８・・・１０５、１０６）が、前記放射線（１１）を前記容積部分内に集中させ、前記照射された治療部分（２１４）が、選んだ寸法及び厚さの円筒体、球状体、楕円体、中実な矩形体の形状とされる、装置。
【請求項６】
請求項１又は２に記載の装置において、
前記光学系（５、８・・・１０５、１０６）が、前記放射線源（２１０）からの前記放射線（１１）を同時に、前記光学要素の少なくとも複数のものに印加する、装置。
【請求項７】
請求項１又は２に記載の装置において、
前記光学要素の各々が、前記放射線源から受け取った前記放射線を、所定の長さ及び厚さを有する複数の収束線内に集中させ、前記光学要素（８、２５、２９、３０）の幾つかからの前記収束線（２８）が、その他の前記光学要素からの前記放射線の収束線（２８）に対して選んだ角度にある、装置。
【請求項８】
請求項１又は２に記載の装置において、
前記光学系（５、８・・・１０５、１０６）が、Ｎ＞１である、Ｎ個の治療部分（２１４）に対し前記放射線（１１）を同時に連続的に収束させ得るように前記光学要素に印加された前記放射線（１１）を走査する走査ミラー（６２、６７）又は走査レンズ（７０）を更に備える、装置。
【請求項９】
請求項１乃至４の何れかに記載の装置において、
患者の皮膚表面（２０２）の一部分を選んだ温度まで冷却する機構（２１５）と、放射線（１１）を印加する前又は放射線（１１）を印加する間、患者の皮膚（２００）を選んだ時間、冷却する機構（２１５）を選択的に作動させる制御装置（２１８）とを更に備える、装置。
【請求項１０】
請求項９に記載の装置において、
前記機構（２１５）及び制御装置（２１８）が、皮膚表面（２０２）から皮膚（２００）の下方の深さまで伸びる患者の皮膚（２００）の一部分を通常の体温以下の温度まで冷却する、装置。
【請求項１１】
請求項９に記載の装置において、
前記機構（２１５）及び制御装置（２１８）が、皮膚表面（２０２）から皮膚（２００）の下方の深さまで伸びる患者の皮膚（２００）を冷却し得るようにある温度及びある時間、皮膚（２００）を冷却し、これにより治療部分（２１４）の各々が冷却した皮膚（２００）により取り巻かれる、装置。
【請求項１２】
請求項１乃至４の何れかに記載の装置において、
前記放射線源（２１０）が、１０５０ｎｍないし約１２２０ｎｍの範囲又は２１００ｎｍないし２３００ｎｍの範囲の波長を有する放射線（１１）を発生させる、装置。
【請求項１３】
請求項１乃至４の何れかに記載の装置において、
前記放射線源（２１０）が、１６５０ｎｍないし１７８０ｎｍの範囲又は２１００ｎｍないし２３００ｎｍの範囲の波長を有する放射線（１１）を発生させる、装置。
【請求項１４】
請求項１乃至４の何れかに記載の装置において、
前記放射線源（２１０）が、１５５０ｎｍないし１８２０ｎｍの範囲又は１６００ｎｍないし１８２０ｎｍの範囲又は２１５０ないし２３００ｎｍの範囲の波長を有する放射線（１１）を発生させる、装置。
【請求項１５】
請求項１乃至４の何れかに記載の装置において、
前記放射線源（２１０）が、１５２０ｎｍないし１８５０ｎｍの範囲又は２１５０ｎｍないし２２６０ｎｍの範囲の波長を有する放射線（１１）を発生させる、装置。
【請求項１６】
請求項１乃至４の何れかに記載の装置において、
前記放射線源（２１０）が、１６５０ｎｍないし１７５０ｎｍの範囲の波長を有する放射線（１１）を発生させる、装置。
【請求項１７】
請求項１乃至４の何れかに記載の装置において、
前記放射線源（２１０）が、４００ないし１８８０ｎｍの範囲の波長を有する放射線（１１）を発生させる、装置。
【請求項１８】
請求項１乃至４の何れかに記載の装置において、
前記光学系（５、８・・・１０５、１０６）が、深さ座標に配置された治療部分（２１４）内のエネルギの集中を最大にし得るように、皮膚（２００）の０．５ｍｍ乃至４ｍｍの深さまで放射線（１１）を収束させる、装置。
【請求項１９】
請求項１乃至１８の何れかつに記載の装置において、
前記容積部分と、及び前記容積部分の上方の患者の皮膚（２００）との少なくとも一方における血管、しわ、血管の病変部、毛包、黒色腫（メラノーマ）、色素沈着病変部、ポートワインあざ、乾癬、瘢痕、刺青、及び皮膚傷の位置を検出する検出器（２１６）を更に備え、
前記光学系（５、８・・・１０５、１０６）が、前記検出器（２１６）に応答して作動し、前記放射線（１１）が集中される前記容積部分の治療部分（２１４）を制御する、装置。
【請求項２０】
請求項１９に記載の装置において、
前記検出器（２１６）の出力を受け取り且つ、前記出力に応答して前記放射線源（２１０）のパワー輪郭外形（ｐｒｏｆｉｌｅ）を制御する制御装置（２１８）を更に備える、装置。
【請求項２１】
請求項２０に記載の装置において、
前記制御装置（２１８）が、前記検出器（２１６）の出力に応答して前記光学系（５、８・・・１０５、１０６）の焦点深さを制御する、装置。
【請求項２２】
請求項１９に記載の装置において、
前記制御装置（２１８）が、前記放射線（１１）が任意の所定の時間にて集中される１つ又はより多数の治療部分を決定し得るように前記検出器（２１６）の出力に応答して走査装置（６２、６７、７０）を制御する、装置。
【請求項２３】
請求項３に記載の装置において、
前記照射された複数の治療部分が、それに与えられた損傷の回復を促進するに十分な距離だけ離れている、装置。
【請求項２４】
請求項３に記載の装置において、
前記少なくとも１つの収束構成要素は、調節可能の深さ収束構成要素である、装置。
【請求項２５】
請求項２４に記載の装置において、
前記少なくとも１つの調節可能の深さ収束構成要素はズームレンズを備え、前記ズームレンズは、前記放射線源に連結されて放射線を受け取り且つ光学軸線に沿って移動可能であり且つ放射線を空間的に分離された治療部分内に集中させ、
前記空間的に分離された治療部分の少なくとも幾つかは、前記容積部分内で異なった深さに配置されている、装置。
【請求項２６】
請求項１乃至４の何れかに記載の装置において、
前記光学系は、マイクロレンズ系（５、６、１５，１６）を更に備える、装置。
【請求項２７】
請求項１乃至４の何れかに記載の装置において、
列状のフレネルレンズ（１７、１８）を更に備える、装置。
【請求項２８】
請求項１乃至４の何れかに記載の装置において、
前記光学系は、１つ又はより多数の勾配レンズ（２２）を更に備える、装置。
【請求項２９】
請求項１乃至４の何れかに記載の装置において、
前記光学系（５、８・・・１０５、１０６）は、筒形レンズ（２５、２９、３２、３５）の列を備える、装置。
【請求項３０】
請求項２９に記載の装置において、
２列の筒形レンズ（３２、３５）を更に備え、
一方の列におけるレンズが他方の列におけるレンズに対して直交状態に配置される、装置。
【発明の詳細な説明】
【発明の分野】
【０００１】
本発明は、色々な療法のため電磁放射線（ＥＭＲ）を使用する方法及び装置、より具体的には、空間的に密閉され且つ集中させたＥＭＲを使用して予備領域により実質的に取り巻かれた治療領域又は損傷領域を形成することで皮膚科的治療を行う方法及び装置に関する。
【発明の背景】
【０００２】
色々な形態の電磁放射線、特に、コヒーレント及び非コヒーレントの双方の光学放射線は、永年に亙って多様な医療治療のため、特に、皮膚科学治療のため利用されている。かかる治療は、望ましくない毛の除去、皮膚の若返り、血管病変部の除去、アクネの治療、セリュライトの治療、色素沈着病変部及び乾癬、刺青の除去、皮膚及びその他の癌の治療等を含むが、これらにのみ限定されるものではない。これらの治療の殆どは、１つの方法又は別の方法にて、選択的光熱療法（ｐｈｏｔｏｔｈｅｒｍｏｌｙｓｉｓ）として知られる方法を使用することを含む（例えば、アンダーソン・ＲＲ（Ａｎｄｅｒｓｏｎ ＲＲ）、パリシエ・Ｊ（Ｐａｒｒｉｓｈ Ｊ．）のサイエンス、１９８３；２２０：５２４−５２６の選択的光熱療法；パルス状放射線の選択的吸収による精密顕微鏡外科手術（Ｓｅｌｅｃｔｉｖｅ Ｐｈｏｔｏｔｈｅｒｍｏｌｙｓｉｓ；Ｐｒｅｃｉｓｅ ｍｉｃｒｏｓｕｒｇｅｒｙ ｂｙ ｓｅｌｅｃｔｉｖｅ ａｂｓｏｒｐｔｉｏｎ ｏｆ ｔｈｅ ｐｕｌｓｅｄ ｒａｄｉａｔｉｏｎ）を参照）。この方法は、自然の発色団又は人工的に誘発させた発色団の何れかの発色団により優先的に吸収される波長の放射線にて治療すべきターゲット領域を照射することを含み、そのターゲット領域にて、発色団を直接又は間接に加熱することで所望の治療を行うものである。
【０００３】
これらの技術は、上記の用途の多くにとって有用ではあるが、これらの技術には、多数の重大な欠点がある。第一に、皮膚の若返り及び毛の除去、特に、皮膚の若返りのような、比較的広い領域に亙って行われる治療は、相当に広い治療領域に亙って種々の程度の皮膚損傷を生じさせる可能性がある。特に、かかる治療の結果、皮膚層が剥離する場合もある。これらの比較的広い領域の皮膚の損傷は、癒合する迄、数週間以上、かかることが多く、また、通常、この期間の間、追跡治療を行うことはできない。より小さい隔たった損傷領域がより迅速に癒合するようにする仕方にてこれらの方法を行うことができ、この方法が患者の快適さ及び追跡治療をより迅速に行う能力の双方を向上させることができるならば、望ましいことである。更に、例えば、除毛及び皺取りのような、多くの治療は、その治療を遥かにより広い治療領域の僅かな一部分又は領域にてのみ行えばよい。しかし、現在の治療技術は、一般に、治療を必要とする治療領域の選ばれた領域のみではなく、治療領域の全体に亙って治療を行うことを必要とする。
【０００４】
別の潜在的な問題点は、印加された放射線を選択的に吸収し、治療に必要とされる熱を発生させる発色団がターゲット領域内に必要とされる点である。第一に、治療領域の上方領域が印加された放射線を優先的に吸収し又はその他の方法で吸収する発色団を含む限度において、かかる発色団も加熱され、このため、その加熱の結果、表皮すなわち真皮が損傷しないようにすることを保証し得るように、あらゆる治療において注意を払わなければならない。その上方の皮膚を損傷させずに、かかる治療を行うことを許容するため、かかる上方領域の種々の形態の冷却法、場合によっては、攻撃的冷却法が必要とされることが多い。例えば、除毛のため又はメラミンをターゲットとするその他の治療のため、表皮、特に、真皮−表皮（ＤＥ）接合部においてメラミンが加熱されることが１つの問題である。ターゲットとされる発色団が水である場合、治療領域内及びその上方の実質的に全ての組織は、放射線を吸収し且つ、加熱されて、選ばれた身体構成要素の制御された治療を困難にし、また、望ましくない周辺部の損傷を引き起こす可能性が増す。
【０００５】
選択的光熱療法に伴う別の問題点は、放射線に対して選ばれる波長が、全体として、利用される発色団の吸収特性によって決まることである。しかし、かかる波長は、その他の目的にとっては最適でない。例えば、皮膚は散乱媒体であるが、かかる散乱は、ある波長のとき、その他の波長のときよりも遥かに顕著である。残念なことに、例えば、頻繁に使用される発色団である、メラミンによって優先的に吸収される波長は、また、顕著な散乱が生ずるときの波長でもある。このことは、血管病変部を治療するために典型的に利用される波長についても当て嵌まる。また、皮膚内への光子の吸収も光学波長帯域に亙って変化し、選択的光熱療法により要求される波長は、皮膚にて多量に吸収される波長であることが多い。選択的光熱療法用に典型的に利用される波長が多量に散乱され及び（又は）多量に吸収されることは、身体構成要素を選択的にターゲットとする能力を制限し、特に、治療を効果的に且つ、効率良く行うことのできる深さを制限することになる。更に、１つのターゲット領域に印加されたエネルギの多くが散乱され且つ、治療を受ける身体構成要素に達しないか、又は上方又は周囲の組織内に吸収されて、かかる組織を望ましくなく且つ潜在的に危険な加熱状態にすることは、光学皮膚科的治療を相対的に非効率的なものにする。かかる治療が低効率であることは、所望の療法結果を実現するためなは、より大型で且つ強力なＥＭＲ源が必要とされ、また、表面冷却又はその他の適当な技術によってこの望ましくない加熱効果を緩和するため、追加的なコスト及びエネルギを利用しなければならないことを意味する。また、このより強力なＥＭＲ源の熱管理は、１つの問題であり、全体として、コスト高で且つ大型の水の循環又はその他の水の管理機構を必要とする。更に、１つのターゲット（例えば、毛のメラミン）の発色団の濃度は、ターゲット毎に且つ、患者毎に大幅に相違するため、選択的光熱療法を使用して所定のターゲットを効果的に治療するための最適な又は適正なパラメータさえも決定することは難しい。例えば、黒色皮膚の人間、又は極めて褐色皮膚の人間のような、特定型式の皮膚による高吸収率は、特定の治療を安全に行うことを困難にし又は更に不可能にさえもすることがしばしばである。このため、好ましくは、痛みが殆ど又は全く無く、また、好ましくは、実質的に同一のパラメータを使用して、あらゆる型式及び色素沈着皮膚を安全に治療することを許容する技術が望まれる。
【０００６】
既存の治療に伴う更に別の問題点は、表皮の損傷、皮膚の瘢痕、又はその他の損傷が問題とならないときでさえ、患者が感じる痛みによって治療領域に印加することのできるエネルギ量が頻繁に制限されることである。理想的には、典型的に、美容を目的とする、ＥＭＲ皮膚科的方法は、無痛又は実質的に無痛でなければならない。その方法が外科医によって行われるならば、局部麻酔を使用し、又は患者を眠らせることにより痛みをコントロールすることができるが、麻酔の使用には全て危険を伴ない、また、局部麻酔を施すため針を使用することは、美容法にとって望ましくないことである。このため、所望の治療結果を実現するため、十分な放射線を印加することを許容する一方にて、かかる方法を必要とせずに、患者の痛みを実質的に軽減し又は解消することができるならば、好ましいことであろう。
【０００７】
また、治療すべき領域が例えば、メスにて処理することのできない寸法の１０μｍのミクロン範囲内にある場合、患者の皮膚、特に、皮膚表面付近にて、顕微鏡外科手術を行うことが必要とされ又は望まれる場合もある。また、顕微鏡外科手術を行うための既存のＥＭＲ装置は、かかる小さいターゲットにて外科手術を行い得るようになっていない。このため、かかる精密な顕微鏡外科手術を行うための改良された技術が必要とされている。
【０００８】
更に、ＥＭＲ技術は、上述した状態の幾つかを治療するために利用可能であるが、アクネ瘢痕、水痘瘢痕等を含む瘢痕、瘢痕組織に起因するバンプス、妊娠線、特定の麻痺等を治療する、かかる技術は現在、存在していない。このため、かかる状態を治療する効果的な技術が必要とされている。
【０００９】
更に別の問題点は、既存の技術では、水ぶくれ及びその他の皮膚の問題を生じることになることが多い場合、特に、皮膚の表面付近にて刺青又は色素沈着病変部を除去するときのものである。かかる刺青又は色素沈着病変部の退色及び（又は）その最終的な除去を患者の皮膚を損傷させずに又は顕著な患者の不快さを伴わないような十分に静かな仕方にて行うことを許容する改良された技術も望まれる。また、色々な皮膚の傷を治療する同様の技術も望まれる。
【００１０】
最後に、太い血管の病変部を治療するのに比較的効果的である技術は現在、存在するものの、かかる技術は、蜘蛛巣状静脈及びその他の細い血管を治療するのに余り効率的でない。患者の皮膚の比較的小さい部分のみを治療することが必要とされる場合、患者の皮膚の比較的大きい領域に亙って放射線が印加されならば、同様に非効率的である。このため、ターゲット領域をより選択的に治療することを許容し、また、選択的光熱療法に頼らず、このため、選んだ深さにて所望のターゲット容積、特に、かかるターゲット容積の選んだ部分により効果的に放射線を供給し得るように利用される波長を選ぶことができるようにし、該部分が非治療部分により取り巻かれて、所定のターゲットを治療するための適正なパラメータをより容易に決定することができるようにする、ＥＭＲ療法、特に、光学皮膚科的治療のための改良された方法及び装置が必要とされている。
【非特許文献１】アンダーソン・ＲＲ（Ａｎｄｅｒｓｏｎ ＲＲ）、パリシエ・Ｊ（Ｐａｒｒｉｓｈ Ｊ．）のサイエンス、１９８３；２２０：５２４−５２６の選択的光熱療法；パルス状放射線の選択的吸収による精密顕微鏡外科手術（Ｓｅｌｅｃｔｉｖｅ Ｐｈｏｔｏｔｈｅｒｍｏｌｙｓｉｓ；Ｐｒｅｃｉｓｅ ｍｉｃｒｏｓｕｒｇｅｒｙ ｂｙ ｓｅｌｅｃｔｉｖｅ ａｂｓｏｒｐｔｉｏｎ ｏｆ ｔｈｅ ｐｕｌｓｅｄ ｒａｄｉａｔｉｏｎ）
【発明の概要】
【００１１】
上記に従って、本発明は、患者の皮膚の面積及び深さ座標に配置された容積にて治療を行う方法及び装置を提供し、該方法は、放射線源を提供することと、該源から光学系に放射線を印加し、該光学系が放射線を容積の深さ座標内の少なくとも１つの深さ及び容積の面積座標内の選んだ領域に放射線を集中させ、該少なくとも１つの深さ及び選んだ領域が容積の非治療部分内の容積の三次元的治療部分を画成するようにすることとを備えている。該装置は、放射線源と、源からの放射線が印加される光学系とを有し、該光学系が放射線を容積内の少なくとも１つの深さ及び容積の選んだ領域に集中させ、該少なくとも１つの深さ及び領域が容積の非治療容積内の容積の三次元的治療部分を画成する。方法及び装置の双方に対し、治療部分と容積との比率は、０．１％乃至９０％とすることができるが、１０％乃至５０％であることが好ましく、１０％乃至３０％であることがより好ましい。各場合において、治療部分は、少なくとも１つの選んだ寸法及び厚さの円筒体、球、楕円体、立体矩形又は平面とすることができる。治療部分はまた、選んだ長さ及び厚さの隔たった線とすることもできる。光学系は、全ての治療部分にほぼ同時に放射線を印加し、又は光学系は、少なくとも選んだ治療部分に対し放射線を順次に印加することができる。
【００１２】
また、少なくとも１つの治療部分の上方における患者の皮膚を選んだ時間、選んだ温度まで予冷却することもでき、予冷却するための選んだ温度及び時間は、通常の体温以下の少なくとも１つの選んだ温度まで治療部分に対する少なくとも１つの深さだけ皮膚を冷却するのに十分であることが好ましい。選んだ実施の形態の場合、皮膚は治療部分に対する少なくとも１つの深さよりも深い深さまで少なくとも選んだ温度に冷却され、該少なくとも１つの治療部分が冷却した皮膚によってほぼ取り巻かれるようにする。放射線を印加する間、冷却を続行し、この実施の形態の場合、放射線を印加する時間は、治療部分の熱弛緩時間よりも長くすることができる。放射線源の波長は、治療を行うべき容積の上方の患者の皮膚内に多量に吸収され又は散乱されないように選ばれることが好ましい。より深い深さの座標の場合、光学系は、治療部分の少なくとも１つの深さよりも深い選んだ深さまで集束し、患者の皮膚内の所望の深さ座標に集中させることができる。治療が行われる容積内の及び（又は）この容積の上方の患者の皮膚の選んだ状態を検出し、放射線を印加する間、その検出結果を利用して放射線が集中される治療部分を制御することができる。
【００１３】
印加された放射線は、少なくとも、治療部分の少なくとも１つの深さの関数である出力波長を有することが好ましい。より具体的には、印加された放射線の波長は、次のように印加された放射線の関数として選ぶことができる、すなわち深さ＝．０５乃至．２ｍｍ、波長＝４００乃至１８８０ｎｍ及び２０５０乃至２３５０ｎｍ、８００乃至１８５０ｎｍ及び２１００乃至２３００ｎｍであることが好ましい。深さ＝．２乃至．３ｍｍ、波長＝５００乃至１８８０ｎｍ及び２０５０乃至２３５０ｎｍ、８００乃至１８５０ｎｍ及び２１５０乃至２３００ｎｍであることが好ましい；深さ＝．３乃至．５ｍｍ、波長＝６００乃至１３８０ｎｍ及び１５２０乃至１８５０ｎｍ及び２１５０乃至２２６０ｎｍ、９００乃至１３００ｎｍ及び１５５０乃至１８２０ｎｍ及び２１５０乃至２２５０ｎｍであることが好ましい；深さ＝．５乃至１．０ｍｍ、波長＝６００乃至１３７０ｎｍ及び１６００乃至１８２０ｎｍ、９００乃至１２５０ｎｍ及び１６５０乃至１７５０ｎｍであることが好ましい；深さ＝１．０乃至２．０ｍｍ、波長＝６７０乃至１３５０ｎｍ及び１６５０乃至１７８０ｎｍ、９００乃至１２３０ｎｍであることが好ましい；深さ＝２．０乃至５．０ｍｍ、波長＝８００乃至１３００ｎｍ、１０５０乃至１２２０ｎｍであることが好ましい。
【００１４】
各種の医療状態を治療するためこの方法及び装置を利用することもできる。選んだ深さにおける血管の病変部を治療する場合、光学系及び印加される放射線の波長を含む、治療パラメータは、治療部分の少なくとも１つの深さが治療を受ける血管の深さであるように選ばれる。同様に、治療がコラーゲンの処理又は除毛による皮膚の再変調である場合、光学系及び放射線の波長を含む治療パラメータは、少なくとも１つの深さが表層内コラーゲンの深さ及び毛包の膨張部並びにマトリックスの少なくとも１つの深さであるように選ばれる。本発明の教示内容はまた、アクネの治療包、脂肪のポケットを狙い且つ破壊すること、セリュライトの治療、刺青の除去、色素沈着病変部の治療、栄養障害瘢痕及びその他の瘢痕並びにその他の皮膚の傷の治療、皮膚のその他の色々な状態の癒合のためにも使用することができる。
【００１５】
本発明の実施に利用できる光学系は、源からの少なくとも複数の放射線が同時に印加される光学要素配列を含むことができ、光学要素の各々が放射線を容積の選んだ部分に集中させる。光学要素の各々は、例えば、選んだ長さ及び深さの１本の線に集束し又は集中させることができ、幾つかの要素に対する線は、その他の要素の線に対して選んだ角度となるようにする。光学系は、これと代替的に、光学集中構成要素に印加された放射線を走査する装置を含み、Ｎ≧１の場合、放射線を治療部分Ｎに同時に連続的に集束させるようにしてもよい。光学系は、深さ調節可能な光学集束構成要素と、構成要素を移動させ、連続的な治療部分にて集束させる、かかる光学集束構成要素に対する位置決め機構とを含むことができる。装置は、少なくとも選んだ領域の座標の上方における患者の皮膚の一部分を選んだ温度まで冷却させる機構と、該冷却機構を選択的に作動させ、放射線を印加する前及び（又は）放射線を印加する間、選んだ時間、患者の皮膚のこの部分を予冷却する制御装置とを備えることができる。冷却機構及び制御装置は、該皮膚の部分を通常の体温以下の少なくとも選んだ温度に少なくとも治療部分の深さまで冷却するのに十分な温度及び時間にて、その皮膚を予冷却することができ、後者の場合、治療部分は、冷却した皮膚によって実質的に取り巻かれるようにする。該装置はまた、容積内の及び（又は）該容積の上方の患者の皮膚の一部分における少なくとも１つの選んだ状態の検出器を備えることもでき、また、光学系は、該検出器に応答して作動し、放射線が集中される容積の治療部分を冷却することができる。
【００１６】
本発明はまた、患者の皮膚の領域及び深さ座標に配置された容積にて治療を行う方法及び装置を含むものであり、この方法は、放射線源を提供することと、容積の領域座標の少なくとも一部分の上方における患者の皮膚を選んだ時間、選んだ温度まで予冷却することとを含み、その選んだ温度及び時間は、容積の深さ座標よりも深い深さまで皮膚を冷却するのに十分であるようにし、放射線を光学系に印加し、該光学系が放射線を少なくとも１つの深さ座標及び領域座標内の選んだ領域に集中させ、容積内に治療部分を画成するようにすることを含み、該治療部分は全容積よりも小さく、治療部分の各々は非治療部分内にあり且つ冷却した皮膚によって実質的に取り巻かれるようにする。より具体的には、領域座標の上方の患者の皮膚を選んだ温度まで冷却する機構を提供することができ、また、冷却機構を選択的に作動させ、放射線を印加する前及び（又は）放射線を印加する間、選んだ時間、皮膚を予冷却する制御装置を提供することができ、該機構及び制御装置は、通常の体温以下の少なくとも選んだ温度に容積の深さ座標よりも少なくとも深い深さまで皮膚を冷却するのに十分な温度及び時間にて冷却する。冷却機構による患者の皮膚の冷却は、放射線を印加する工程の間、続行し、その放射線を印加する時間を各治療部分の熱弛緩時間よりも長くすることができる。
【００１７】
最後に、本発明は、非治療部分内にあり、三次元的に配置された複数の選んだ治療部分にて少なくとも１つの選んだ波長の印加された放射線を集中させることにより、患者の皮膚に対し療法を行う方法及び装置を含むものである。
【００１８】
本発明の上記及びその他の目的及び特徴並びに有利な点は、添付図面に図示した本発明の色々な実施の形態の以下のより具体的な説明から明らかになるであろうし、色々な図面にて共通の要素に対して同一の又は関連する参照番号が使用されている。
【詳細な説明】
【００１９】
最初に、図２２Ａ及び図２２Ｂを参照すると、患者の皮膚２００の一部分が図示されており、該部分は、真皮２０４の上方に位置する表皮２０２を含んでおり、表皮と真皮との接合部は、真皮−表皮（ＤＥ）接合部２０６として説明する。患者の皮膚の深さｄに配置され且つ領域Ａを有する治療容積Ｖも図示されている。治療容積Ｖは、破壊し又は除去すべき１つ又は２つ以上の血管病変部を含み、また、恒久的に破壊するか又は一時的な除毛となるように少なくとも損傷させるべき又は毛を成長させるため刺激すべき複数の毛包を含み、ＤＥ接合部の下方の領域内にあり、例えば、再成長を刺激するため特に皮膚の若返り及び皺取りのため、一時的に破壊することによるような色々な手段によって再生すべきコラーゲンを含み、除去すべき黒色腫、血管病変部、色素沈着病変部、ポートワインあざ、乾癬、瘢痕又は除去すべきその他の皮膚の傷又は刺青又は光学皮膚科的方法を行うべき何らかのその他の身体構成要素を含むことができる。
【００２０】
光学放射線を容積Ｖに供給するシステム２０８も図示されている。システム２０８は、固相レーザ、色素レーザ、ダイオードレーザ、ファイバレーザのようなコヒーレントな光源又はその他のコヒーレントな光源とし又は例えば、皮膚科的方法にて光学放射線を供給するために使用されるフラッシュランプ、ハロゲンランプ、電球又はその他の非コヒーレントな光源とすることができるＥＭＲ光源２１０を備えている。適宜な用途にて音波、ＲＦ又はその他のＥＭＲ源を採用することもできる。源２１０からの出力は、図２２Ｂに図示するように、患者の皮膚の表面と接触した供給ヘッドの形態をすることが好ましい光学系２１２に印加される。音波、ＲＦ又はその他の非光学ＥＭＦ源が源２１０として使用される場合、システム２１２は、例えば、位相配列のようなかかるＥＭＲを集中又は集束させる適宜なシステムとし、「光学系」という語は、該当する場合、かかるシステムを含むよう解釈されるべきである。
【００２１】
光学系２１２の色々な実施の形態が以下に説明され且つ色々な図面に図示されている。全体として、システム２１２は、源２１０から放射線を受け取り且つ該放射線を容積Ｖの選ばれた１つ又は２つ以上の治療部分すなわちターゲット部分２１４に向けられた１つ又は２つ以上の集束ビーム２２２となるように集束し／集中させる作用を果たし、この焦点は領域Ａ内の深さｄ及び空間的なものである。このように、印加されたＥＭＲのエネルギは集中されてより多量のエネルギをターゲット部分２１４に供給する。システムのパラメータに依存して、部分２１４は、選ばれた直径、厚さの円筒体、球又は楕円体とし、また、１つの実施の形態の場合、四角形又は矩形の断面を有することができる。各形状の部分は、容積Ｖを貫通して伸びるか又はその単一の層又は偏心層にて形成することができる。ターゲット部分２１４はまた、（ａ）容積Ｖを貫通して伸び、容積Ｖ内で薄い単一層として形成されるか又は容積の偏心層にて形成することのできる比較的狭小なストリップとし、又は（ｂ）容積Ｖ内に形成された１つ又は２つ以上の薄層とすることができる。以下により詳細に説明するように、光学系２１２は、全ての又は選ばれた部分２１４の群に同時に集束し、深さｄに集束された放射線を連続的な部分２１４に移動させる何らかの型式の光学又は機械−光学スキャナを保持するか又は深さｄに集束され且つ容積Ｖを亙って手動で又は適宜な二次元的又は三次元的（深さを含む）位置決め機構の何れかにより皮膚表面を物理的に移動させて放射線を所望の連続的な部分２１４に向けることができる。後者の２つの実施の形態の場合、この動作は、集束すべき部分から部分に直接行うか、又はこの動作は、例えば、格子パターンのような標準的なパターンにて行い、所望の部分２１４の上に来たときにのみ、ＥＭＲ源を作動させることができる。
【００２２】
治療容積Ｖの上方にて皮膚２００の表面を冷却させる冷却要素２１５も含まれる。図２２Ａ、図２２Ｂに図示するように、冷却要素２１５は、光学系２１２に作用して患者の皮膚と接触したこのシステムの部分、従ってかかる冷却要素と接触した患者の皮膚の部分を冷却する作用を果たす。冷却要素２１５は、例えば、熱電気要素とし、又は水、好ましくは冷却水、気体、好ましくは冷却気体、可能であれば、極低温気体を光学系のかかる部分上を通すシステムとすることができる。当該技術分野にて既知の患者の皮膚表面を冷却するその他の技術を使用することもできる。更に、光学系２１２が患者の皮膚と接触していない場合、極低温液の噴霧冷却、気体流れ又はその他の非接触式冷却技術を利用することができる。上述した冷却技術の１つに加えて又はこれに代えて、皮膚表面に冷却ゲルを利用することも考えられる。
【００２３】
システム２０８は、例えば、患者の皮膚の選ばれた特徴に対するＣＣＤカメラ又はその他の適宜な検出器とすることのできる光学検出器２１６も備えている。検出器２１６からの出力は、典型的に、適宜にプログラム化したマイクロプロセッサであるが、特殊目的のハードウェア又はハードウェア及びソフトウェアの複合体とすることのできる制御装置２１８に付与される。制御装置２１８は、源２１０の作動及び不作動の双方を制御し、また、放射線のパワー特性線を制御することもできる。制御装置２１８はまた、例えば、光学系の焦点深さを制御し且つ例えば、光学系及び（又は）放射されるビームによって走査を制御することにより、任意の所望の時点にて放射線が集束／集中される１つの部分又は複数の部分２１４を制御し得るように光学系２１２にも適用される。最後に、制御装置２１８は、冷却要素２１５に適用されて予冷却及び照射時の双方にて、容積Ｖの上方の皮膚の温度及び冷却時間の双方を制御する。
【００２４】
本発明の教示に従って、システム２０８は、印加させた放射線の多岐に亙るパラメータを制御する。表１乃至表３に掲げたデータは、異なる波長に対する皮膚の散乱及び吸収の標準的なパラメータを使用して皮膚内での光子の伝播に関するモンテカルロモデリングに基づいて測定したものである。これらのパラメータは、次のものを含むが、これらにのみ何ら限定されるものではない。
【００２５】
１．治療部分２１４の形状。これら部分の各々を図示するように薄い円板とし、例えば、ＤＥ接合部２０６により近い第一の深さから第二のより深い深さまで伸びる細長い円筒体とし又は以下に説明する色々な光学系に関して以下に説明するように、線状焦点とし、該線の各々が選んだ長さ、幅及び方向を有し、隣接する線が選んだ程度だけ分離されたものとすることができる。所定の用途における部分２１４に対する線の方位は同一とする必要はなく、幾つかの線は、例えば、他方の線に対し直角となるようにすることができる（例えば、図７Ａ及び図７Ｂ参照）。より効率的であるように、線を治療ターゲットの周りで方位決めすることができる。例えば、線を血管に対し垂直にし又は皺に対し平行にすることができる。部分２１４はまた、球状、楕円形とし、少なくとも１つの実施の形態の場合、選んだ厚さの立体四角形又は矩形とすることができる。部分２１４の形状は、印加される集束光信号と印加時間との組み合わせたパラメータとし、またより少ない程度ではあるが、信号の波長がターゲット部分の形状を決定する重要なファクタであるようにする。例えば、約０．５Ｊ乃至２Ｊにて作動し且つ０．５乃至２ｍｓのパルス時間を有する１７２０ｎｍレーザの場合、ほぼ円筒状の形状部分２１４が得られることが判明した。これとは逆に、同一のエネルギ範囲にて作動し且つ．５乃至３秒、平均１秒のパルス時間を有する１２５０ｎｍレーザの場合、ほぼ球状のターゲット部分が得られる。特定部分を得るためのパラメータは、経験的な方法を含む多岐に亙る方法にて決定することができる。表面における波長、集束程度、スポット寸法及びその他のパラメータを適宜に制御することにより、部分２１４は、形状に関係なく、容積Ｖを通って伸び、容積Ｖの薄い単一層にて形成し又は偏位させて、例えば、隣接する部分２１４が容積Ｖの異なる薄層内にあるようにすることができる。容積Ｖ内のターゲット部分のパターンは、用途によって変更することもできる。更に、ターゲット部分２１４は、（ａ）容積Ｖを貫通して伸び、薄い単一層として形成するか又は薄い異なる層にて偏位させ、例えば、隣接するストリップが異なる層内にある比較的狭小なストリップとするか又は（ｂ）容積Ｖ内に形成された１つ又は２つ以上の薄層とすることもできる。ターゲット部分２１４の従来の形態の全ては、直列に又は並列に形成することができるが、容積Ｖ内に薄層を多数、有する最後の形態は、多分、直列に形成する必要があろう。部分２１４の幾何学的形態は、治療部分の熱的損傷を制御する。球は最大の勾配を提供し、従って空間的に最狭小であるから、該球は最も局所的な生物学的損傷を提供し、このため、局所的損傷は、望ましい適用例の好ましいターゲットの形状であろう。
【００２６】
２．治療部分２１４の寸法。患者の皮膚内の深さが約１ｍｍである場合、部分２１４の最小直径又は線２１４の最小幅は、約１００μｍであると推定される。しかし、数ｍｍ以上といった遥かに大きい部分とすることも可能である。より深い深さの場合、最小寸法はより大きくなろう。
【００２７】
３．部分２１４間の中心間の間隔。中心間の間隔は、部分２１４の寸法及び実行される治療を含む、多数のファクタによって決まる。全体として、隣接する部分２１４の間の間隔は、患者の皮膚を保護し且つ損傷が治癒するのを促進する一方、所望の治療効果を得ることを許容するのに十分であることが望ましい。１つの適用例において、容積Ｖの僅か４％しか損傷されなかった（すなわち、４％の充填ファクタ）。しかし、損傷部分２１４は、典型的に、治療容積Ｖの実質的により広い部分を覆う。理論的に、治療部分２１４の組み合わせた容積と容積Ｖとの比率（充填ファクタと称される場合もある）を０．１％乃至９０％とし、好ましい充填ファクタの範囲は、幾つかの適用例の場合、１０％乃至５０％であり、殆どの適用例の場合、１０％乃至３０％である。隔離部分又は治療損傷の隔離部分又は領域２１４の各々の周りに少なくとも幾つかの予備領域が存在し、この予備領域は、皮膚が回復する（ｒｅｃｏｖｅｒ）のを許容し、その回復がメラノゾームの移動によって促進されるのに十分であるようにすることが重要である。
【００２８】
４．容積Ｖの深さｄ。皮膚のような散乱媒質における１ｍｍよりも遥かに深い深さに小さい焦点２１４を実現することは困難であるが、厳格な焦点が必要とされず、又多分、多数のより大きい部分の寸法２１４が許容される限り、４ｍｍまで、多分より深い深さにて集束させることが可能であろう。
【００２９】
５．焦点深さ。表１から理解し得るように、容積Ｖに対する深さｄ及び光学系２１２の焦点深さは、浅い深さに集束するときほぼ同一であるが、皮膚のような散乱媒質において、より深い深さまで、場合によっては著しく深い深さまで集束し、全体としてより深い深さｄに焦点を実現することが必要となる。その理由は、散乱は緊密な焦点の実現を阻止し、その結果、最小のスポット寸法となり、このため、集束ビームは、ビームが集束される深さよりも実質的に浅い深さにあるから、最大のエネルギ集中度となる。焦点深さは、皮膚の既知の特性に基づいて、所望の深さｄにて最小のスポット寸法を実現し得るよう選ぶことができる。
【００３０】
６．波長。散乱及び吸収の双方が波長に依存する。このため、浅い深さの場合、集束したビームを実現しつつ、かなり広い帯域の波長を利用することができる一方、集束ビームを実現し、焦点深さが深ければ深いほど、散乱及び吸収が一層大きいファクタとなり、妥当な焦点を実現することのできる利用可能な波長帯域はより狭小になる。表１には、色々な深さに対する好ましい波長帯域が示されている一方、これら帯域外にて、最適できないものの許容可能な結果を得ることが可能である。
【００３１】
７．パルス幅。印加された放射線のパルス幅は、ターゲット部分２１４の各々の熱弛緩時間（ＴＲＴ）以下でなければならず、それは、より長い時間であれば、これら部分の境界を超えた熱移行が生ずるからである。部分２１４は、全体として比較的小さいため、パルス時間もまた表１に示すように比較的短い。しかし、深さが増し、スポット寸法が増すに伴い、最大パルス幅又は時間も増す。この場合にも、表１に掲げた値は、所定のスポット寸法に対する最大値であり、より短いパルスを使用することができる。全体として、熱拡散理論からは、球状隔離部分に対するパルス幅τは、τ＜５００Ｄ２／２４でなければならず、直径Ｄの円筒状隔離部分のパルス幅は、τ＜５０Ｄ２／１６であることが分かる。更に、パルス幅は、ターゲットの密度が過度に高くないならば、ターゲット部分２１４の熱弛緩時間よりも長くすることができることがあり、このため、この領域外の任意の箇所におけるターゲット領域からの組み合わさった熱は、その点における組織に対する損傷限界値より遥かに少ない。また、以下に説明するように、適宜な冷却方法により、上記の限界値を適用することができず、損傷部分２１４に対する熱弛緩時間を上廻るパルス時間、場合によっては実質的にＴＲＴ以上の時間を利用することができる。
【００３２】
８．パワー。放射線源から必要されるパワーは、所望の治療効果に依存し、深さ及び冷却の増加に伴ない、また、波長に起因する吸収の減少に伴って増大する。パワーはまた、パルス幅の増大に伴って減少する。
【００３３】
９．冷却。典型的に、冷却器２１５を源２１０よりも先に作動させ、患者の皮膚を通常の皮膚の体温以下の選んだ温度に、例えば、０乃至１０℃に少なくともＤＥ接合部２０６の深さまで、好ましくは、容積Ｖの上方の皮膚領域２２０の全体を保護し得るよう深さｄまで予冷却する。しかし、本発明の教示によれば、予冷却が患者の皮膚が容積Ｖの下方の深さまで冷却するのに十分な時間まで延長するならば、特に、放射線の印加が開始した後に冷却を続行するならば、各々が冷却した皮膚によって取り巻かれた照射部分２１４のみが加熱されよう。このため、印加された放射線の時間が部分２１４に対するＴＲＴを超える場合でさえ、これら部分からの熱は封込められ、これら部分を超えて熱損傷は生じないであろう。更に、神経は部分２１４内で刺激を受ける一方、部分２１４外のこれら神経の冷却は、損傷容積の厳格な制御を許容することに加えて、痛み信号が脳に伝達するのを阻止し、これにより患者の快適さが向上した状態で治療を行うことを許容し、特に、患者が感じる痛みのためさもなければ不可能である、所望の治療を行うための照射量を印加することを可能にする。この冷却方法は、当該出願人の発明の１つの重要な特徴である。
【００３４】
１０．開口数。開口数は、光学装置２１２からの集束された放射線ビーム２２２に対する角度θの関数である。この数、従って角度θは、可能な限り大きくし、放射線が集中する容積Ｖ内の部分２１４におけるエネルギが容積Ｖ（従って領域２２０）内のその他の箇所よりも著しく多量であり、これにより領域２２０内の組織、従って部分２１４以外の容積Ｖの部分の損傷を最小にする一方、容積Ｖの部分２１４内で所望の治療効果を実現することができるようにすることが好ましい。ビームの開口数がより大きければ、表皮の安全性は向上するが、開口数はより大きい角度の光線の散乱及び吸収によって制限される。表１から理解し得るように、焦点深さが増すに伴って可能な開口数は減少する。
【００３５】
このように、上述した色々なパラメータ等を慎重に選択することにより、１つ又は２つ以上の集束した放射線ビーム２２２を実現し、治療容積Ｖ内で治療／損傷の孤立部分２１４を患者の皮膚の選んだ深さにて形成することができる。色々な深さにてこれら目的を実現する好ましいパラメータの範囲は、表１に掲げである。表２及び表３には、短いパルス（すなわち、表面上の小さいターゲットに対し１０ｍｓ以下のパルス、また、より深い深さの場合、１００ｍｓ以下のパルス）及び長いパルスに対する色々な深さにおけるパラメータ範囲が図示されている。表２の値は、上述したように容積Ｖにおける深い冷却効果は得られず、パルス時間は損傷部分２１４の熱弛緩時間によって制限されると想定する。このように、より小さいスポットすなわち焦点領域を実現することのできるより浅い深さ、例えば、表２に想定したように、直径５０μｍのスポットの場合、１０ｍｓ以下のパルス幅が必要とされ、これに応じてその他のパラメータが選ばれる。これとは逆に、より深い深さの場合、散乱のため緊密な焦点を実現することができず、損傷部分２１４は著しく大きい直径となり、これら部分の熱的弛緩時間は、より長くなる。このため、著しく長いパルス幅を提供し、より長い時間範囲に亙って治療効果を実現するのに必要なエネルギを提供することが可能となる。このことは、領域２２０から、特にその表皮部分２０２、ＤＥ接合部２０６から熱を除去することを容易にする。このことは、より低ピーク電源２１０を利用することも許容する。表２、表３から、焦点深さは、損傷部分２１４の深さｄよりも深いものとして示されていることも分かる。その理由は、上記に説明した通りである。
【００３６】
制御装置２１８は、ターゲット容積Ｖ内の選んだ部分２１４にて集束するよう予めプログラム化することができる一方、別の選択は、検出器２１６を使用して機械的に得られ、又は全体として光学的に操作者によって得られるが、触覚又は聴覚のような操作者のその他の感覚を使用して得ることのできるフィードバックを使用して、集束される容積Ｖ内の部分２１４を制御することである。例えば、検出器２１６がＣＣＤ画像装置であると想定すれば、容積Ｖ内の毛包、血管病変部又はその他のターゲット構成要素の位置を探知し、集束ビーム２２２によってかかる構成要素の位置に特に向けることができる。このように、除毛治療であると想定すれば、検出器２１６は容積Ｖの上方の表面にて毛包の各々の位置を探知し、次に、例えば、軸細胞が配置される１ｍｍの深さのような選んだ深さにてかかる毛包の各々に対しビーム２２２を集束させることができる。ビームはまた、例えば、０．７乃至３ｍｍだけ、毛包に沿って深い深さまで集束させ、例えば、毛包を取り巻く組織を著しく熱的に損傷させずに又は毛包基質を損傷させずに、毛包軸細胞を破壊し、恒久的又はほぼ恒久的に除毛するのに必要な毛包内の全ての要素を確実に破壊することも可能である。この結果は、上述した冷却技術が利用され、冷却効果が治療容積Ｖの下方まで伸び、そのためターゲットとされた毛包の各々が冷却した皮膚組織によって取り巻かれるようにするならば、最も容易に実現される。
【００３７】
治療を受ける血管又はその他の血管構造体を追跡し又はコラーゲンの再生（ｒｅｓｔｒｕｃｔｕｒｉｎｇ）により治療すべき１つ又は複数の皺を追跡するためにフィードバックを使用することもできる。更に、集束ビーム２２２は、制御装置２１８に検出器２１６からの出力に応答して自動的に配置することができる一方、かかるフィードバックは、また、光学系２１２の位置を手操作で調節し、毛包、血管構造体、皺等を追跡し且つ治療するために操作者が操作することもできる。
【００３８】
より具体的には、使用されるスキャナは、検出のために使用される、異なる色であることが好ましい３つの低パワーレーザダイオード、及び治療のために使用される１つの高パワーレーザダイオードを含むことができる。スキャナは、例えば、血管の位置を検出すること及び血管の深さを検出することの双方のために使用することができる。検出のために使用される３つのダイオードの１つは、検出又は治療モードの何れかにて作動可能である高パワーダイオードとし、また、幾つかの場合、１つ又は２つのダイオードのみを使用して検出し、その１つ又は２つのダイオードを幾つかの場合、治療のためにも使用することができる。検出器及び（又は）治療ダイオードを選ばれたパターン上を移動させるため、適宜なスキャナを使用することができる。しかし、過去、ガルバニックスキャナが使用されているが、この用途のためには、接触スキャナが必要とされ、それは、ビームの所望の集束はガルバニックスキャナでは不可能である接触を必要とするからである。この場合にも、スキャナはターゲットの位置を探知する特定のパターンを追跡し得るようプログラム化し、また、例えば、静脈のような１回探知されたターゲットに従い得るようにプログラム化することができ、又は走査を手操作で制御することもできる。走査は、例えば、血管のような選んだターゲットに従う場合、血管に沿って選ばれた箇所にて照射を行うことができる。その内部の血液の流れを停止させ且つ血管を不作用にするため、血管に沿って選んだ１つ又はより多くの箇所にて血管凝血させることが一般に必要である。血管を破壊するため、血管の全体を照射する必要はない。
【００３９】
スキャナが使用される場合、走査した領域はスクリーンに投射し、効果的に拡大し、このことは、プログラム化した走査中の所望のターゲット点を選び又は血管のような望ましいターゲットに沿って走査することを容易にする。異なる色を提供し得るようフィルタを付けることができる多数の検出器を利用して、例えば、血管のようなターゲットの深さを検出し、治療のため適宜な深さまで光を集束させることができる。このように、走査は三次元的とすることができる。深さは、相当な程度、波長によって制御されるから、その出力波長が制限された範囲に亙ってプログラム化可能であるファイバレーザを使用して検出及び治療の双方のため、皮膚の深さを制御することができる。各場合において、治療は、放射線を選んだ箇所に集束させ、その箇所における水が通常、加熱されるようにし、又は利用される波長にて所望のターゲットによる選択的な吸収と相俟って、かかる集束効果によってのみ行うことができる。典型的に水である発色団として血液又はメラニンを使用することもできる。更に、血管を治療するとき、発色団としてヘモグロビンが不要であるから、例えば、血管に圧力を付与することにより、治療する間、血管を圧縮することができる。このことは、血管壁の変性及び収縮を許容し、このことは、血管をより恒久的に閉じ、また、より太い血管を恒久的に閉じることを可能にする。治療／損傷の隔離部分の位置及び寸法は、血管の異なる寸法、型式及び位置に合うように調節することができる。同様に、除毛のためには、メラニンをターゲットとする必要はないから、毛軸又は毛包内にて高メラニン含有状態である必要はなく、白髪及びブランドの毛の治療を一層容易にする。
【００４０】
ポートワインあざの場合、水に吸収するため、０．９乃至１．８５μｍの範囲の波長とし、又は１０％乃至８０％、より好ましくは３０％乃至５０％の充填ファクタにてヘモグロビンに吸収するため、０．３８乃至１．１μｍの範囲の波長とすることができる。光源は、フィルタ及びマスキング機能を有するアークランプとすることができる。
【００４１】
本発明の教示は、コラーゲンの再生による皮膚の若返り治療に特に適応させることもできる。かかる治療において、コラーゲンはそれ自体が発色団でないから、皮膚の乳頭又はそれよりも深い組織又は血管内の水のような発色団は、典型的に、放射線を吸収し且つ隣接するコラーゲンを加熱するように加熱され、コラーゲンを選択的に、損傷又は破壊し、その結果、コラーゲンは再生される。この領域内の血管の摂動の結果、新たなコラーゲンの発生を励起する線維芽細胞が解放される。かかる治療は、治療を受ける皺又はその他の傷の線に沿ってのみ行えばよいが、この治療は、典型的に、治療を受ける比較的大きい面積に亙って行われる。本発明の教示によれば、かかる治療は、多分、３０％乃至５０％の充填ファクタにて選択的な部分２１４を加熱することにより一層効果的に行うことができ、その結果、患者に対する創傷及び痛みが少ない状態でコラーゲンを顕著に再生させることができる。かかる方法は、比較的広い領域Ａに亙って行うか又は血管に対し上述した技術と同様の技術を使用して、皺の上方でビームを周期的に照射することにより行うことができ、ビームは所定のパターンにて追跡し且つ皺の上の選んだ箇所の上方においてのみ照射するか又は皺を追跡し得るよう移動させ且つその上方にある間に周期的に照射することができる。また、本発明の教示が採用されるその他の治療の場合、比較的迅速に癒合し、このため、その後の治療は、必要とされる程度まで、全体として最初の治療の数週間、また確実に１ヶ月以内で行うことができる。
【００４２】
典型的に、コラーゲンが加熱されたとき、コラーゲンの収縮に起因して皮膚にバンプスが生ずる。このように、この技術は、皺を除去するのみならず、アクネ又は水疱瘢痕又は皮膚のその他の瘢痕のようなその他の皮膚の傷を除去するために使用することもでき、また、セリュライトの治療にも利用することもできる。バンプスは、約１ヵ月後に退縮するが、加熱は、その領域内のコラーゲンの厚さ対長さの比を増し、これによりコラーゲンの厚さを増し、皮膚の若返り／傷の除去による改善の多くを妥当な程度に恒久的なものとする。
【００４３】
本発明の教示によって治療可能なその他の皮膚の傷は、表面とほぼ面一である点にて皺と相違する、妊娠線を含み、加熱に起因するコラーゲンの収縮及び再生がこれら傷を減少させる。外科手術又は特定の傷の跡に生ずる盛上がった瘢痕である、栄養障害瘢痕はまた、上述したようにポートワインあざが治療されるのと同一の仕方にて瘢痕血管に対する血流を減少させることにより、治療することが可能である。
【００４４】
除毛、血管病変部の治療及び皮膚移植に加えて、本発明の教示は、また例えば、アクネの治療、皮下脂肪ポケットをターゲットとし且つ破壊し、セリュライトを治療しまた、例えば、首及び手のような、かかる治療を現在行うことのできない領域にて標準的な皮膚移植技術を使用することに起因する損傷が正常に治癒しない、皮膚の移植を行うために、1つ又は２つ以上の脂腺を破壊すべく使用することも可能である。かかる領域の小さい隔離部分のみを治療するためには、癒合するのに十分な非損傷の皮膚構造体を残さなければならない。本発明の教示は、上述したように、刺青の除去、色素沈着病変部の治療、栄養障害瘢痕及びその他の瘢痕の治療、妊娠線、アクネ及び水疱瘢痕及びその他の皮膚の傷の治療、また、例えば、各種の皮膚癌及び多分ＰＦＢのような約４ｍｍ以下の深さにて患者の身体に存在するであろう各種のその他の状態を治療するために利用することもできる。皮膚腫瘍の場合、腫瘍の位置を探知するフィードバックシステム及び腫瘍の完全な熱破壊を保証するロボット式システムの組み合わせ体を使用することができる。ポートワインあざの場合とほぼ同一のパラメータにてほぼ同一の方法にて乾癬を治療することができる。また、本発明の教示を使用して検出し且つ選択的に死滅させることのできる幼虫移行症のような皮膚内の寄生虫を処理するために使用することもできる。
【００４５】
刺青を除去すべく本発明を利用することが可能な３つの一般的な方法がある。第一の方法は、好ましくは細胞内及び細胞間のインクを分解し又は破壊するため、短く強力なパルスである、刺青インクによって吸収される１つ又は２つ以上の波長を使用することによる。第二の技術は、インクを含む細胞を破壊し、細胞内のインク又は水の何れかをターゲットとし、インクを解放し且つインクが身体のリンパ系によって除去されるようにすることを含む。この場合、典型的に、低パワーで且つ高エネルギを有するミリ秒乃至秒範囲の長いパルスが利用されよう。第三の技術において、融除レーザを使用して刺青に１乃至２ｍｍのスポットを穿孔し、この領域内の細胞及び刺青インクの双方を融除し又は蒸発させる。例えば、１０％乃至８０％の範囲、好ましくは１０％乃至３０％の範囲のような小さい充填ファクタにてかかる小さい損傷箇所が十分に癒合し、３つの治療の各々に対し刺青を漸進的に薄くし且つ最終的に３つの治療の各々に対し除去することを許容する。各治療時、無作為的パターンが除去パターンと干渉するようにすることも好ましい。
【００４６】
本発明の教示に特に適応可能とされる特別な問題点は、表皮内のあざ又はその他の色素沈着病変部を治療することである。かかる病変部は、一般に、従来の治療を使用して膨張を伴わずに治療することは困難である。１％乃至５０％、好ましくは、１０％乃至３０％の充填ファクタ及び１００μｍ乃至１／２ｍｍの箇所寸法を有する損傷隔離部分を使用することにより、瘢痕を生ぜずにかかる病変部を治療することが可能である。この場合の治療は、表面に極めて近いため、集束させる必要はない。同様の充填ファクタを有する同様の治療をポートワインあざ又は刺青を治療するため使用することができるが、これら場合の何れにても、治療はより深い深さにて行われるから、集束させることが必要であろう。全ての場合、最初の治療の結果、ターゲット領域のみが更に薄くなるだけである。一般に損傷治療の隔離部分に対して数週間乃至１ヶ月かかる、治療部分の癒合が完了したならば、病変部、ポートワインあざ、刺青等が除去される迄、１つ又はより多くの追加的な治療を行って治療領域を更に薄くすることができる。何れの場合でも、黒色症、インク等を含む、治療に起因して死んだ細胞は、通常、リンパ系を通って身体から除去されよう。
【００４７】
このように、（ａ）約４ｍｍまでの深さにて患者の身体にて色々な治療を許容し、（ｂ）損傷隔離部が三次元的にのみ生ずることを許容し、これにより癒合を促進し（皮膚層と損傷隔離部２１４との間の連続的な血流及び細胞増殖を許容することにより）且つ患者の不快さを軽減することを許容し、（ｃ）取り巻く患者の身体部分を損傷させずに、治療のため特定の構成要素をターゲットとすることを許容し、これによりかかる治療の結果として患者の身体の周辺部の損傷を軽減しつつ、印加された放射線をより効率的に使用することを許容し、（ｄ）所定の治療に対しほぼ同一のパラメータを使用し、これにより治療の手順及び治療の安全性を促進することを許容し、（ｅ）ターゲットとする発色団によって最適に吸収される波長に限定されずに、治療に利用される波長を治療の深さに対し最適に選ぶことを許容する技術が提供される。実際上、本発明の教示のために選ばれる波長は、通常、水に顕著に吸収されるが、波長を選ぶときの判断基準の１つは、特により深い深さの場合、水によっても多量に吸収されず、このため、放射線は、吸収により相当なエネルギ／光子を損失することなく所望の深さに達することができるようにすることである。ターゲット部分２１４にて光子／エネルギが集中する程度は、これら部分におけるエネルギを利用される波長における吸収の低下を補償するのに十分以上であるようにする。このように、本発明は、かかる治療を行う完全に新しく且つ新規な技術を提供する。
【００４８】
図１乃至図２１には、光学系２１２にて使用するのに適した色々な光学構成要素が図示されている。これら図面において、図１乃至図９Ｂには、複数のターゲット部分２１４に対し平行に放射線を供給する各種のシステムが図示されている。これら図面の配列は、典型的に、特定の深さｄに対し固定された焦点配列である。この深さは、異なる焦点深さを有する異なる配列を使用し、患者の皮膚又はターゲット容積Ｖの表面に対する配列の位置を選択的に変更し、又は放射線の波長を制御することにより変更することができる。図１０乃至図１３には、図１４乃至図１９の走査又は偏向器システムと共に使用してターゲット容積Ｖ内の１つ又は２つ以上の連続的な集束部分２１４を動かすことのできる色々な対物レンズ配列が図示されている。最後に、図２０及び図２１には、例えば、その上の連続的な部分２１４を照射するため、患者の皮膚上を機械的に又は手操作で移動させることができる２つの異なる可変焦点の光学系が図示されている。
【００４９】
これらの図面をより詳細に参照すると、図１、図１Ａ及び図１Ｂには、六角形パターン（図１）、四角形パターン（図１Ａ）、円形又は楕円形パターン（図１Ｂ）内にある境界部を有する、基板３上の集束要素１が図示されている。これら要素に対し標準的な光学材料を使用することができる。図１及び図１Ａの六角形及び四角形パターンは、集束要素板４の作用領域を完全に充填することが可能であるが、このことは図１Ｂの要素のパターンには妥当しない。源２１０からの放射線は、典型的に、全ての集束要素１に同時に印加されよう。しかし、適宜な走査機構を使用することにより放射線をこれら要素に順次に印加し又は１方向に走査し、例えば、４つの要素を同時に照明／照射することができる。
【００５０】
図２及び図２Ａは、例えば、多孔質ガラスのような屈折性材料８内に溶融させたマイクロレンズ系の断面図である。レンズ５の材料の屈折率は、屈折性材料８の屈折率よりも大きくなければならない。図２において、ビーム１１は、最初に屈折性材料８の平坦面１０を通り、次に、マイクロレンズ５の各々の主要面６及び二次的面７の双方によって屈折され、焦点１２にビームが集束されるようにする。この過程は図２Ａにて逆となるが、その結果は同一である。
【００５１】
図２Ｂ及び図２Ｃにおいて、入射ビーム１１は、屈折性材料８にて形成された主要レンズ面６によって屈折される。色々な配列に対する表面６、７は、球状又は非球状の何れかとすることができる。
【００５２】
図３及び図３Ａにおいて、レンズ片１５は、基板に取り付けられ且つ浸漬材料１６内にある。レンズ片１５の屈折率は、浸漬材料１６の屈折率よりも大きい。浸漬材料１６は、気体（空気）、液体（水、極低温噴霧液）又は適宜な固体とすることができる。気体及び液体を使用して皮膚を冷却させることができる。浸漬材料は、全体としてそれぞれ主要及び二次的平面１３、１４にある。図３Ａにおいて、レンズ片１５の各々の主要面６及び二次的面７は、より高質の集束を実現することを許容する。図３Ｂ及び図３Ｃの場合、レンズ片１５は、屈折材料８の面に固定され、図３Ｃの実施の形態は、図３Ｂのものよりも又は所定のレンズ１５に対して図３Ａ乃至図３Ｃに示したその他の配列の任意のものよりも深い焦点を提供する。図３Ａ乃至図３Ｃに図示したレンズ配列は、本発明の教示を実施するのに好ましいレンズ配列である。
【００５３】
図４乃至図４Ｃには、屈折材料８上に形成されたフレネルレンズ面１７、１８が図示されている。フレネル面の中心１７の半径とフレネル面のリング１８との間の関係である、フレネルレンズ面１７、１８のプロフィールを変化させると、所望の質の集束を実現することが可能となる。図４Ｂ及び図４Ｃの配列は、より高質の集束を実現することを許容し、また、その他の好ましい配列でもある。面１７、１８は、球形又は非球形の何れかとすることができる。
【００５４】
図５及び図５Ａにおいて、屈折材料８の表面にホログラフィックレンズ面１９（すなわち写真ホログラム）を形成することにより、入射ビーム１１の集束が実現される。このホログラフィックレンズ１９は、図５及び図５Ａに図示するように、屈折材料８の面の何れか又は双方に形成することができる。図５Ｂには、図５及び図５Ａの屈折材料８に置換してホログラフィック材料２０が使用されることが示してある。ホログラフィックレンズは材料２０の容積内に形成される。
【００５５】
図６及び図６Ａにおいて、集束要素は主要平坦面２３及び二次的平坦面２４を有する勾配レンズ２２によって形成される。図６Ａに図示するように、かかる勾配レンズは、レンズを支持し、保護し且つ冷却することを可能にする１対の屈折材料板８の間に挾持することができる。
【００５６】
図７、図７Ａ及び図７Ｂには、筒形レンズ２５の色々なマトリックス配列が図示されている。筒形レンズ２５の長さ２６及び直径２７の関係は、図面に示すように変化させることができる。図７Ａ及び図７Ｂの筒形レンズ２５は、先に示したような配列の場合のように、スポット又は円形の焦点ではなくて線状焦点を提供する。
【００５７】
図８乃至図８Ｃは、マトリックス筒形レンズ系の１つの層の断面図である。入射ビーム１１は、筒形レンズ２５（図８及び図８Ａ）又は半筒形レンズ２９（図８Ｂ及び図８Ｃ）によって屈折され且つ線状焦点２８に集束される。図８Ｂ及び図８Ｃにおいて、筒形レンズ２９は浸漬材料１６内にある。球形又は非球形とすることのできる主要作用光学面３０及び二次的光学作用面３１は、高質の集束を実現することを許容する。図７乃至図８Ｃに図示するように、隣接するレンズに対する線状焦点は、異なる方向に向けて方位決めし、この方位がこれら図面にて特定のレンズに対し互いに直角となるようにする。
【００５８】
図９、図９Ａ及び図９Ｂにおいて、入射ビーム１１を筒形レンズ３２、３５の２つの層を透過させることにより焦点のマトリックスが実現される。図９Ａ及び図９Ｂは、図９に図示した配列にて２つの直交方向に見たときの断面図である。面３３を有する主要層レンズ３２及び面３６を有する二次的レンズ３５の焦点距離を変化させることにより、所望のサイズの矩形の焦点を実現することが可能である。主要層レンズ３２及び二次的層レンズ３５は、浸漬材料１６内に取り付けられる。レンズ３２、３５は、標準的な光ファイバとし又は球形又は非球形とすることのできる筒形レンズで置換することもできる。面３４、３７は、端縁損失を最小にし得るような光学品質のものとすることができる。
【００５９】
図１０には、ビームスプリッタ３８を有する１つの対物レンズ４３が図示されている。角度ビームスプリッタ３８に斜めに入射するビームは分割され且つ次に、レンズ４３の屈折面４１、４２を透過し、中心点３９及び偏心点４０に集束する。面４１、４２は、球形及び（又は）非球形とすることができる。光学的平坦面５３、５５を有する板５４は、光学面５５と集束点３９、４０との間に固定された距離を実現することを許容する。角度ビームスプリッタ３８は、ビーム１１を幾つかのビームに分割し且つ幾つかの焦点を提供することのできる光学格子として作用可能である。
【００６０】
図１１において、２つの対物レンズ４３、４６は、光学面４１、４２、４４を光学的に配置する結果として、より高質の集束及び開口数を提供する。これら面の全ては、球形又は非球形とすることができる。レンズ４６の光学面４５は、開口比を増大させるよう平面状とし且つ板５４と接触させることもできる。板５４はまた、上述したように、冷却要素とすることもできる。
【００６１】
図１２は、レンズ４３、４６、４９という３つの対物レンズを提供する点にてそれ以前の図面と相違する。図１３には、４対物レンズ系が図示され、レンズ５２の光学面５０、５１は、治療領域の半径（すなわち、点３９、４０の間の距離）を増大させることを許容する。
【００６２】
図１４、図１４Ａ及び図１４Ｂには、図１０乃至図１３に図示した色々な物体に対する走査前端として利用可能である３つの光学系が図示されている。これらの図面において、平行化初期ビーム１１は、走査ミラー６２に衝突し且つこのミラーによって対物光学素子の第一のレンズ４３の面４１に反射される。走査ミラー６２は、光学軸６３を角度ｆに亙って移動させる設計とされている。ミラー６２の法線６４を角度ｆだけ回転偏位させると、ビーム１１の角度は、角度２ｆだけ変化する。走査ミラー６２の光学位置は、集束対物レンズの入射瞳内にある。走査ミラー６２の直径と作用面の半径（すなわち、点３９、４０との間の距離）を一層良く相関させ且つ集束質を向上させるため、図１４Ａに図示するように、レンズ５８を走査ミラー６２の前方に挿入することができる。レンズ５８の光学面５６、５７は、球形又は非球形とすることができる。更なる収差制御のため、光学面５９、６０を有するレンズ６１をレンズ５８とミラー６２との間に挿入してもよい。
【００６３】
図１５、図１５Ａ、図１５Ｂは、光源が平行化ビーム１１ではなくて点光源又は光ファイバ６５である点を除いて図１４、図１４Ａ及び図１４Ｂと同様である。例えば、ファイバの端部のような光源６５からのビーム６６は、走査ミラー６２（図１５）又はレンズ５８の面５７（図１５Ａ、図１５Ｂ）に入射する。
【００６４】
図１６、図１６Ａには、２ミラーの走査システムが図示されている。図１６に図示したより簡単な形態の場合、走査ミラー６７は、角度ｆ２に亙って回転し、走査ミラー６２は角度ｆ１に亙って回転する。ビーム６３は、最初にミラー６７に入射し且つミラー６７によってミラー６２に反射され、該ミラーから光学レンズ４３の面４１に反射される。図１６Ａにおいて、集束ビームの開口数を増大させ、皮膚上の作用領域を増大させ且つ走査ミラー６２、６７の間の収差を減少させるため、対物レンズ１０６がミラーの間に挿入される。この図面には簡単な１対の対物レンズ１０６が図示されているが、より複雑な対物レンズを採用することができる。対物レンズ１０６は、ビームを走査ミラー６７の中心から走査ミラー６２の中心まで屈折させる。
【００６５】
図１７において、方向ｓに向けて可動である走査レンズ７０によって走査が行われる。走査レンズ７０が偏心位置７３まで移動すると、光学面６８は光線を光軸７１に沿って方向７２に向けて屈折させる。
【００６６】
図１８において、レンズ７６を、例えば、位置７７まで回転させることにより走査が行われる。面７４は平坦面であり、面７５は、屈折した光軸７２の方向に影響を与えないように選ばれる。図１９において、点光源又は光ファイバ６５を方向ｓに向けて動かすことにより走査が行われる。
【００６７】
図２０及び図２１には、損傷の隔離部分を異なる深さまで移動させるズーム式対物レンズが図示されている。図２０において、第一の構成要素は、不可動であり且つ２つのレンズ８４、８７から成る第二の構成要素に対し光軸に沿って可動である単一のレンズ８１から成っている。レンズ８４は、開口数を増大させるために使用される。開口数は、後方焦点距離の範囲を増大させ且つ焦点サイズを縮小させるため、光学面７９、８０、８２、８３、８５は球形とすることができる。第一及び第二の構成要素の相対的位置は、焦点１２の位置を決定する。
【００６８】
図２１には、球形の光学面を有するズーム式対物レンズが図示されている。第一の構成要素は、光軸に沿って第二の構成要素に対して可動である単一のレンズ９０から成っている。不可動である第二の構成要素は、５つのレンズ９３、９６、９９、１０２、１０５から成っている。面８８、８９の曲率半径は、不可動の第二の構成要素の収差を補正し得るように選ばれる。この場合にも、第一及び第二の構成要素間の距離を制御することにより焦点深さは制御可能である。図２０及び図２１に図示したレンズ系の何れも手操作で又は制御装置２１８の制御の下、可動であり、ターゲット容積Ｖの所望の２１４に選択的に集束し又はターゲット容積の部分に非選択的に集束し得るように取り付けることができる。
【００６９】
多数の実施の形態に関して本発明を図示し且つ説明し、またこれら実施の形態の変更例について論じたが、これらの実施の形態は、主として説明の目的に記述したものであり、特許請求の範囲により規定される本発明の精神及び範囲から逸脱せずに、当該技術分野の当業者は、これら実施の形態の形態及び細部の点でその他の変更を具体化することが可能である。
【図面の簡単な説明】
【００７０】
【図１】複数のターゲット部分に対し平行に放射線を供給するときに使用するのに適した光学要素配列を含む光学系の頂面図である。
【００７１】
図１Ａは、複数のターゲット部分に対し平行に放射線を供給するときに使用するのに適した光学要素配列を含む別の光学系の頂面図である。
図１Ｂは、複数のターゲット部分に対し平行に放射線を供給するときに使用するのに適した光学要素配列を含む更に別の光学系の頂面図である。
【図２】複数のターゲット部分に対し平行に放射線を供給するのに適したレンズ配列の側面図である。
【００７２】
図２Ａは、複数のターゲット部分に対し平行に放射線を供給するのに適した別のレンズ配列の側面図である。
図２Ｂは、複数のターゲット部分に対し平行に放射線を供給するのに適した更に別のレンズ配列の側面図である。
【００７３】
図２Ｃは、複数のターゲット部分に対し平行に放射線を供給するのに適した更に別のレンズ配列の側面図である。
【図３】複数のターゲット部分に対し平行に放射線を供給するのに適した更に別のレンズ配列の側面図である。
【００７４】
図３Ａは、複数のターゲット部分に対し平行に放射線を供給するのに適した更に別のレンズ配列の側面図である。
図３Ｂは、複数のターゲット部分に対し平行に放射線を供給するのに適した更に別のレンズ配列の側面図である。
【００７５】
図３Ｃは、複数のターゲット部分に対し平行に放射線を供給するのに適した更に別のレンズ配列の側面図である。
【図４】複数のターゲット部分に対し平行に放射線を供給するのに適したフレネルレンズ配列の側面図である。
【００７６】
図４Ａは、複数のターゲット部分に対し平行に放射線を供給するのに適した別のフレネルレンズ配列の側面図である。
図４Ｂは、複数のターゲット部分に対し平行に放射線を供給するのに適した更に別のフレネルレンズ配列の側面図である。
【００７７】
図４Ｃは、複数のターゲット部分に対し平行に放射線を供給するのに適した更に別のフレネルレンズ配列の側面図である。
【図５】複数のターゲット部分に対し平行に放射線を供給するときに使用するのに適したホログラフィックレンズ配列の側面図である。
【００７８】
図５Ａは、複数のターゲット部分に対し平行に放射線を供給するときに使用するのに適した別のホログラフィックレンズ配列の側面図である。
図５Ｂは、複数のターゲット部分に対し平行に放射線を供給するときに使用するのに適した更に別のホログラフィックレンズ配列の側面図である。
【図６】複数のターゲット部分に対し平行に放射線を供給するときに使用するのに適した勾配レンズ配列の側面図である。
【００７９】
図６Ａは、複数のターゲット部分に対し平行に放射線を供給するときに使用するのに適した別の勾配レンズ配列の側面図である。
【図７】その幾つかが複数のターゲット部分に対し線状焦点を提供するのに適した筒形レンズのマトリックス配列の頂面図である。
【００８０】
図７Ａは、その幾つかが複数のターゲット部分に対し線状焦点を提供するのに適した筒形レンズの別のマトリックス配列の頂面図である。
図７Ｂは、その幾つかが複数のターゲット部分に対し線状焦点を提供するのに適した筒形レンズの別のマトリックス配列の頂面図である。
【図８】複数のターゲット部分に対し平行に放射線を提供するのに適したマトリックス筒形レンズ系の１つの層の断面図又は側面図である。
【００８１】
図８Ａは、複数のターゲット部分に対し平行に放射線を提供するのに適したマトリックス筒形レンズ系の別の層の断面図又は側面図である。
図８Ｂは、複数のターゲット部分に対し平行に放射線を提供するのに適したマトリックス筒形レンズ系の更に別の層の断面図又は側面図である。
【００８２】
図８Ｃは、複数のターゲット部分に対し平行に放射線を提供するのに適したマトリックス筒形レンズ系の更に別の層の断面図又は側面図である。
【図９】複数のターゲット部分に対し平行に放射線を提供するのに適した２層筒形レンズ配列の斜視図である。
【００８３】
図９Ａは、図９の断面側面図である。
図９Ｂは、図９の更に別の断面側面図である。
【図１０】１つ又は２つ以上のターゲット部分に対し放射線を集中させるのに使用するのに適した光学対物レンズ配列の側面図である。
【図１１】１つ又は２つ以上のターゲット部分に対し放射線を集中させるのに使用するのに適した別の光学対物レンズ配列の側面図である。
【図１２】１つ又は２つ以上のターゲット部分に対し放射線を集中させるのに使用するのに適した更に別の光学対物レンズ配列の側面図である。
【図１３】１つ又は２つ以上のターゲット部分に対し放射線を集中させるのに使用するのに適した更に別の光学対物レンズ配列の側面図である。
【図１４】連続的なターゲット部分を移動させるべく図１０乃至図１３の配列と共に使用するのに適した偏向器システムの側面図である。
【００８４】
図１４Ａは、連続的なターゲット部分を移動させるべく図１０乃至図１３の配列と共に使用するのに適した偏向器システムの側面図である。
図１４Ｂは、連続的なターゲット部分を移動させるべく図１０乃至図１３の配列と共に使用するのに適した偏向器システムの側面図である。
【図１５】連続的なターゲット部分を移動させるべく図１０乃至図１３の配列と共に使用するのに適した別の偏向器システムの側面図である。
【００８５】
図１５Ａは、連続的なターゲット部分を移動させるべく図１０乃至図１３の配列と共に使用するのに適した別の偏向器システムの側面図である。
図１５Ｂは、連続的なターゲット部分を移動させるべく図１０乃至図１３の配列と共に使用するのに適した別の偏向器システムの側面図である。
【図１６】連続的なターゲット部分を移動させるべく図１０乃至図１３の配列と共に使用するのに適した更に別の偏向器システムの側面図である。
【００８６】
図１６Ａは、連続的なターゲット部分を移動させるべく図１０乃至図１３の配列と共に使用するのに適した更に別の偏向器システムの側面図である。
【図１７】連続的なターゲット部分を移動させるべく図１０乃至図１３の配列と共に使用するのに適した更に別の偏向器システムの側面図である。
【図１８】連続的なターゲット部分を移動させるべく図１０乃至図１３の配列と共に使用するのに適した更に別の偏向器システムの側面図である。
【図１９】連続的なターゲット部分を移動させるべく図１０乃至図１３の配列と共に使用するのに適した更に別の偏向器システムの側面図である。
【図２０】本発明の教示を実施するのに使用するのに適した可変焦点光学系の側面図である。
【図２１】異なる可変焦点光学システムの側面図である。
【図２２】図２２Ａは、患者の皮膚の半概略図的な斜視図である。図２２Ｂは、本発明の教示を実施すべく配置された装置の半概略図的な側面図である。
【符号の説明】
【００８７】
５ マイクロレンズ
６ 主要レンズ面
７ 二次的面
８ 屈折性材料
１０ 平坦面
１１ 入射ビーム、平行化初期ビーム
１２ 焦点
１３ 主要面
１４ 二次的平面
１５ レンズ片
１６ 浸漬材料
１７ フレネルレンズ面、フレネル面の中心
１８ フレネルレンズ面、フレネル面のリング
１９ ホログラフィックレンズ面
２０ ホログラフィック材料
２２ 勾配レンズ
２３ 主要平坦面
２４ 二次的平坦面
２５ 筒形レンズ
２６ 筒形レンズの長さ
２７ 筒形レンズの直径
２８ 線状焦点
２９ 半筒形レンズ
３０ 主要作用光学面
３１ 二次的光学作用面
３２ 筒形レンズ、主要層レンズ
３３、３４ 面
３５ 筒形レンズ、二次的レンズ
３６、３７ 面
３８ 角度ビームスプリッタ
３９ 中心点、集束点
４０ 偏心点、集束点
４１、４２ 屈折面、光学面
４３ 対物レンズ
４４、４５ 光学面
４６、４９ 対物レンズ
５０、５１ 光学面
５３ 光学的平坦面
５４ 板
５５ 光学的平坦面
５７ 面
５８ レンズ
６２ 走査ミラー
６３ 光学軸、ビーム
６４ 法線
６５ 光源、光ファイバ
６６ ビーム
６７ 走査ミラー
６８ 光学面
７０ 走査レンズ
７１ 光軸
７２ 方向、屈折した光軸
７３ 偏心位置
７４、７５ 面
７６ レンズ
７７ 位置
７９、８０ 光学面
８１ 単一のレンズ
８２、８３ 光学面
８４ レンズ
８５ 光学面
８７ レンズ
８８、８９ 面
９０ 単一のレンズ
９３、９６、９９、１０２、１０５ レンズ
１０６ 対物レンズ
２００ 患者の皮膚
２０２ 表皮部分
２０４ 真皮
２０６ 真皮−表皮（ＤＥ）接合部
２０８ システム
２１０ ＥＭＲ光源
２１２ 光学系、システム、光学装置
２１４ ターゲット部分、治療部分、照射部分、損傷部分
２１５ 冷却要素
２１６ 検出器
２１８ 光学装置、制御装置
２２０ 皮膚領域
２２２ 放射線ビーム、集束ビーム
θ 角度
Ａ 領域
Ｖ ターゲット容積、治療容積
ｄ 患者の皮膚の深さ
ｆ 角度
２ｆ 角度
ｆ１ 角度
ｓ 方向
【図１】
0005458250.tif 000002
【図２】
0005458250.tif 000003
【図３】
0005458250.tif 000004
【図４】
0005458250.tif 000005
【図５】
0005458250.tif 000006
【図６】
0005458250.tif 000007
【図７】
0005458250.tif 000008
【図８】
0005458250.tif 000009
【図９】
0005458250.tif 000010
【図１０】
0005458250.tif 000011
【図１１】
0005458250.tif 000012
【図１２】
0005458250.tif 000013
【図１３】
0005458250.tif 000014
【図１４】
0005458250.tif 000015
【図１５】
0005458250.tif 000016
【図１６】
0005458250.tif 000017
【図１７】
0005458250.tif 000018
【図１８】
0005458250.tif 000019
【図１９】
0005458250.tif 000020
【図２０】
0005458250.tif 000021
【図２１】
0005458250.tif 000022
【図２２】
0005458250.tif 000023